(57)【特許請求の範囲】
【請求項１】
光源からの光が入射され、画像信号に基づき変調された光学像を出射する光変調手段と、前記光変調手段から出射された光学像をスクリーンに拡大投射する投射レンズと、
前記投射レンズのレンズシフトを行うレンズシフト機構と、
前記光変調手段から出射される光学像の形状を補正し、前記投射レンズのあおり投射を行った場合に生じる画像歪みを補正する画像歪み補正手段と、
を備え、
前記画像歪み補正手段は、
前記レンズシフト機構のレンズシフト量を検出するレンズシフト量検出手段と、
前記レンズシフト量検出手段の検出結果に応じて上記投射レンズの投射角を算出し、該投射角に基づいて画像歪みを補正する歪み補正回路と、
を具備してなることを特徴とする投射型表示装置。
【請求項２】
光源からの光が入射され、画像信号に基づき変調された光学像を出射する光変調手段と、
前記光変調手段から出射された光学像をスクリーンに拡大投射する投射レンズと、
前記投射レンズのレンズシフトを行うレンズシフト機構と、
前記光変調手段から出射される光学像の形状を補正し、前記レンズシフト機構のシフト方向と異なる方向に前記投射レンズのあおり投射を行った場合に生じる画像歪みを補正する画像歪み補正手段と、
を備え、
前記画像歪み補正手段は、
前記レンズシフト機構のレンズシフト量を検出するレンズシフト量検出手段と、
前記レンズシフト量検出手段の検出結果に応じて上記投射レンズの投射角を算出し、該投射角及び外部補正入力によって得られた水平方向のあおり角に基づいて画像歪みを補正する歪み補正回路と、
を具備してなることを特徴とする投射型表示装置。
【請求項３】
光源からの光が入射され、画像信号に基づき変調された光学像を出射する光変調手段と、
前記光変調手段から出射された光学像をスクリーンに拡大投射する投射レンズと、
前記投射レンズのレンズシフトを行うレンズシフト機構と、
前記光変調手段から出射される光学像の形状を補正し、前記レンズシフト機構のシフト方向と異なる方向に前記投射レンズのあおり投射を行った場合に生じる画像歪みを補正する画像歪み補正手段と、
を備え、
前記画像歪み補正手段は、
前記レンズシフト機構のレンズシフト量を検出するレンズシフト量検出手段と、
ユーザ操作により画像歪みを補正するための入力が行われる操作入力手段と、
前記レンズシフト量検出手段の検出結果に応じて上記投射レンズの投射角を算出し、前記操作入力手段の入力に応じて上記投射レンズの水平方向のあおり角を設定し、該投射角及び水平方向のあおり角に基づいて画像歪みを補正する歪み補正回路と、
を具備してなることを特徴とする投射型表示装置。
【請求項４】
前記前記レンズシフト機構のシフト方向は垂直方向であり、前記操作入力手段は、ユーザ操作により水平方向の画像歪みを補正するための入力が行われることを特徴とする請求項３に記載の投射型表示装置。
【請求項５】
前記前記レンズシフト機構のシフト方向は水平方向であり、前記操作入力手段は、ユーザ操作により垂直方向の画像歪みを補正するための入力が行われることを特徴とする請求項３に記載の投射型表示装置。
【発明の詳細な説明】
【０００１】
【発明の属する技術分野】
本発明は、液晶プロジェクタ等の投射型表示装置に係り、特に、光学像を投射レンズを介してスクリーン上に拡大投射するもので、スクリーンに対して光学像を垂直及び水平斜め方向に投射（あおり投射）したときに生じる画面歪みを補正可能にした投射型表示装置に関するものである。
【０００２】
【従来の技術】
従来、液晶ライトバルブやＤＭＤ（デジタル・マイクロミラー・デバイス）等を利用した投射型表示装置が知られている。例えば光変調手段として透過型液晶パネル（液晶ライトバルブ）を用いた投射型表示装置は、光源から出射された白色光を３原色光に分離し、分離された各色光を液晶ライトバルブで変調し、液晶ライトバルブを透過した光学像を投射レンズを介してスクリーンに投射するものである。
【０００３】
図１０はこのような従来の投射型表示装置を示す斜視図である。
図１０に示すように、従来の投射型表示装置８０は、投射装置８１とスクリーン８２から構成される。
【０００４】
ここで、投射装置８１をスクリーン８２の中心に合わせ正面から光学像を投射する場合は、方形状の画像９１が投射されるが、実際には図のようにスクリーン８２の中心よりも下側に投射装置８１を配置し、投射レンズ８３を斜め上向きにして拡大投射することも多い。これは一般に「あおり投射」という投射の方法であり、投射レンズの中心よりも上方に画像を投射する方式である。
【０００５】
しかしながら、あおり投射を行った場合、スクリーンに投射された画像は逆台形状に歪み、スクリーンの上端にいくほど上方向に伸び、かつ水平方向に広がるという不具合がある。また、投射装置をスクリーンに対して水平方向にあおり投射を行った場合は、さらに複雑な歪みを生じてしまう。
【０００６】
この様子を図１０及び図１１を参照して説明する。
図１１は、投射装置８１による投射画像９１、９２、９３をスクリーン８２の正面側から見た図である。
【０００７】
図１０及び図１１において、投射画像９１、９２、９３はスクリーン８２に投射された光学像の表示例を示している。投射装置８１の中心とスクリーンの中心が一致し、真正面から投射された場合、光学像は投射画像９１のように方形画像となるが、実際には投射装置８１はスクリーン８２よりも下側に、かつ垂直方向に所定の傾斜角度（垂直あおり角Ｋｙ）をもって配置され、投射レンズ８３からあおり投射されるため、スクリーンに投射された画像は投射装置９２のように台形状に歪み、投射画像の上端部に行くほど上側に伸び、かつ水平方向に広がった形状になってしまう。
【０００８】
また、投射装置８１をスクリーン８２に対し、垂直あおり角Ｋｙに加えて水平方向（例えば右側）に所定の傾斜角度（水平あおり角Ｋｘ）をもって配置した場合、投射画像の右上端がさらに広がり画像は投射画像９３で示すように、より複雑な形状に歪んでしまう。
【０００９】
このような投射画像の歪みを補正するため、例えば特開平１０−１１１５３３号公報には、投射装置からの投射方向（例えば投射レンズの傾き等）を検出して、自動的に画像歪みを補正する装置が記載されている。
【００１０】
この公報に記載の例では、スクリーンに投射される画像の歪み（逆台形歪み）を補正するため、液晶ライトバルブに表示される映像を投射歪みと逆の形状（台形状）になるように補正し、その補正量を上記の投射方向検出手段からの検出結果に応じて制御するようにしている。
【００１１】
しかしなから、前記公報に記載されたものでは、垂直方向のあおり投射による投射画像９２の画像歪みは補正できるが、投射装置８１を水平方向にあおり投射を行った場合の投射画像９３の画像歪みを補正することはできないという不都合があった。水平方向のあおり投射による歪みを補正するには、投射装置８１をスクリーンに対して正面を向くように向きを変えればよいが、投射装置の置かれた場所やスクリーンの位置によっては、水平方向にあおり投射せざるを得ない場合もあり、水平のあおり投射による歪み補正機能が待望されていた。
【００１２】
このことに対応して、本件出願人による特願２００１−２４７７００号には、角度検出手段の検出結果に応じて垂直方向の画像歪みを自動的に補正する第１の手段と、ユーザ操作に応じて水平方向の画像歪みを補正する第２の手段とを有し、垂直および水平方向にあおり投射した場合でも、スクリーン上の表示画像の歪みを補正することができる投射型表示装置が記載されている。
【００１３】
一方、従来より投射レンズのレンズシフトを行うことで画像歪みを発生させることなく投射画像の位置を移動させるレンズシフト機構を設けた投射型表示装置も実用化されておいる。
【００１４】
さらに、このようなレンズシフト機構と前記特願２００１−２４７７００号に記載の電子的に画像歪みを補正する方法を組み合わせることで、画像歪みを発生させることなく投射画像を投射できる位置の移動範囲を広げることができる。
【００１５】
ここで、前記特願２００１−２４７７００号に記載された投射型表示装置に垂直方向のレンズシフトを行うレンズシフト機構を設けたもので、水平方向にあおり投射した場合の投射画像の画面歪みを補正することを考える。
【００１６】
この場合、投射画像の画像歪みは上下の辺が異なる傾きで傾いている。この傾きは、レンズの垂直方向のレンズシフト量によって異なるため、レンズシフト機構と電子的に画像歪みを補正する方法を組み合わせた投射型表示装置では、画像歪みによる上下の傾きを別々に補正する必要があり、補正操作が難しいという問題があった。
【００１７】
【発明が解決しようとする課題】
上記したように従来の投射型表示装置では、レンズシフト機構と電子的に画像歪を補正する方法を組み合わせて投射画像の画面歪みを補正する場合、投射画像の画像歪みがレンズシフト量によって異なるため、補正操作が難しいという問題があった。
【００１８】
本発明はこのような事情に鑑み、レンズシフト機構と電子的に画像歪みを補正する方法を組み合わせて投射画像の画面歪みを補正する場合にも、容易に補正操作が行える投射型表示装置を提供することを目的とする。
【００１９】
【課題を解決するための手段】
請求項１に記載の投射型表示装置は、光源からの光が入射され、画像信号に基づき変調された光学像を出射する光変調手段と、前記光変調手段から出射された光学像をスクリーンに拡大投射する投射レンズと、前記投射レンズのレンズシフトを行うレンズシフト機構と、前記光変調手段から出射される光学像の形状を補正し、前記投射レンズのあおり投射を行った場合に生じる画像歪みを補正する画像歪み補正手段とを備える投射型表示装置において、前記画像歪み補正手段は、前記レンズシフト機構のレンズシフト量を検出するレンズシフト量検出手段と、前記レンズシフト量検出手段の検出結果に応じて上記投射レンズの投射角を算出し、該投射角に基づいて画像歪みを補正する歪み補正回路と、を具備してなることを特徴とする。
【００２０】
前記した本発明によれば、前記画像歪み補正手段は、前記レンズシフト機構のレンズシフト量に応じて電気的に画像歪みを補正するので、レンズシフト機構と電子的に画像歪みを補正する方法を組み合わせて投射画像の画面歪みを補正する場合にも、容易に補正操作が行える。
【００２１】
【発明の実施の形態】
以下、本発明の実施の形態を図面を参照して説明する。
図１乃至図３は本発明の実施の形態に係り、図１は投射型表示装置を示すブロック図、図２はレンズシフト機構を示す正面図、図３は投射装置とスクリーンの関係を示す配置図である。
【００２２】
先ず、図３を参照して、投射型表示装置１を構成する投射装置１１とスクリーン１２の関係を説明する。
【００２３】
図３において、スクリーン１２は大地面に対して垂直に設けられ、投射装置１１は水平軸ａに対して所定の角度Ｋｙだけ傾斜して配置されている。これにより、投射レンズ１３からの光学像は、スクリーン１２に対し垂直方向に上向きにあおり投射するようになっている。なお角度Ｋｙは、フットアジャスタを調整することよって変えることも可能になっている。
【００２４】
次に、このような投射装置１１の構成について図１を参照して説明する。
図１において、投射装置１１は、投射レンズ１３と、マイクロコンピュータ（以下マイコン２１と称す）と、リモコン２２と、操作部２３と、光源ランプ２４と、ランプ電源回路２５と、ファン２６と、ファン駆動回路２７と、液晶パネル２８と、映像処理回路２９と、信号源３０と、歪み補正回路３１と、液晶駆動回路３２と、傾きセンサ３３と、レンズシフト機構３４と、エンコーダ３５とを有して構成されている。
【００２５】
マイコン２１は投射装置１１の動作を制御するものである。マイコン２１には、リモコン２２、操作部２３やエンコーダ３５からの指示や検出結果を受ける入力回路（図示せず）が設けられている。
【００２６】
またランプ電源回路２５は、光源ランプ２４の点灯や消灯を行う。ファン駆動回路２７は、前記光源ランプ２４を冷却するためのファン２６を駆動する。これにより、投射装置１１は、光源ランプ２４からの光を液晶パネル２８に照射するようにしている。
【００２７】
また映像処理回路２９には、信号源３０が接続され、テレビジョン放送信号を受信処理した映像信号やパソコンからの情報信号が信号源３０から供給されるようになっている。
【００２８】
前記映像処理回路２９からの信号は歪み補正回路３１を介して液晶駆動回路３２に供給される。
【００２９】
この液晶駆動回路３２は、歪み補正回路３１から供給される信号によって液晶パネル２８を駆動することで、液晶パネル２８の透過光の強度を変調し、液晶パネル２８に光学像を表示する。
【００３０】
液晶パネル２８からの光学像は投射レンズ１３を介してスクリーン１２に投射され表示されるようになっている。
【００３１】
なお、液晶パネル２８としては、単板式であっても良いが、複数（例えば３枚）の液晶パネルを用いた多板式であっても良い。多板式の場合には、３枚の液晶パネルをそれぞれＲ（赤），Ｇ（緑），Ｂ（青）の原色信号で駆動し、光源ランプからの光をＲ光，Ｇ光，Ｂ光に分光して各液晶パネルに入射し、それぞれの液晶パネルの透過光を再合成してスクリーンに投射する構成にする。
【００３２】
また、傾きセンサ３３は、投射装置１１の垂直方向の傾斜角度（Ｋｙ）を測定する角度センサとして機能するものである。この傾きセンサ３３からの検出結果は、マイコン２１に供給される。
【００３３】
レンズシフト機構３４は、この投射レンズ１３の垂直方向のレンズシフトを行う。
【００３４】
エンコーダ３５は、前記レンズシフト機構３４のレンズシフト量を検出する。
エンコーダ３５からの検出結果は、マイコン２１に供給される。
マイコン２１は、傾きセンサ３３からの検出結果に基づいて、傾斜角度に関するデータを作成して歪み補正回路３１に供給する。また、マイコン２１は、エンコーダ３５からの検出結果に基づいて、レンズシフト量に関するデータを作成して歪み補正回路３１に供給する。
【００３５】
歪み補正回路３１は、マイコン２１からのデータに基づいて、垂直あおり投射による歪み（図１１の９２参照）を補正すべく、液晶パネル２８に表示する映像を前記検出した角度に応じて補正するようにしている。
【００３６】
またリモコン２２には、電源キー４１、メニューキー４２の他に、自動台形歪み補正キー４３及び台形歪みを手動で補正する補正キー４４、４５を備えている。
【００３７】
リモコン２２の補正キー４４、４５は、ユーザ操作により水平方向の画像歪みを補正するための操作が行われる操作部となっている。マイコン２１は、補正キー４４、４５の入力を、ユーザ操作により設定された水平あおり角に関するデータに変換して歪み補正回路３１に供給する。
【００３８】
これにより、歪み補正回路３１は、前記傾きセンサ３３及びエンコーダ３５の検出結果に応じて垂直方向の画像歪みを自動的に補正するとともに、リモコン２２の補正キー４４、４５の操作及びエンコーダ３５の検出結果に応じて水平方向の画像歪みを補正する。
【００３９】
次に、レンズシフト機構３４について図２を参照してさらに詳細に説明する。
図２において、レンズシフト機構３４は、フレーム５１と、投射レンズ取り付け部５２と、回転部５３とから構成されている。
【００４０】
フレーム５１は、枠状に形成されており、枠の内側に投射レンズ取り付け部５２を垂直方向に移動可能な状態で取り付けている。投射レンズ取り付け部５２には投射レンズ１３が取り付けられている。
【００４１】
回転部５３は、フレーム５１に対して回転可能な状態で取り付けられている。回転部５３は、ねじ部５４を有し、ねじ部５４の一端側に回転つまみ５５を取り付け、他端側にエンコーダ３５を取り付けている。回転部５３のねじ部５４は投射レンズ取り付け部５２の図示しないねじ孔に螺入している。
【００４２】
レンズシフト機構３４は、回転つまみ５５をユーザ操作により右回り回転させることで、回転部５３のねじ部５４を右回りに回転させ、投射レンズ取り付け部５２を垂直方向の上側に移動させ、投射レンズ１３を垂直上方向（図中Ａ方向）にシフトするようになっている。レンズシフト機構３４は、回転つまみ５５をユーザ操作により左回りに回転させることで、投射レンズ１３を垂直下方向（図中Ｂ方向）にシフトするようになっている。即ち、エンコーダ３５は、回転つまみ５５の回転角により、投射レンズ１３の垂直方向のレンズシフト量を検出している。
【００４３】
この場合、エンコーダ３５は、可変抵抗やロータリースイッチにより、回転部５３の回転角度に応じて所定の電圧値となる電圧の出力を行う。マイコン２１は、エンコーダ３５の出力電圧を、ユーザ操作により設定された垂直方向のレンズシフト量に関するデータに変換して歪み補正回路３１に供給する。
【００４４】
このような構成により、液晶パネル２８と映像処理回路２９は、光源ランプ２４からの光が入射され、信号源３０からの画像信号に基づき変調された光学像を出射する光変調手段になっている。
【００４５】
投射レンズ１３は、前記光変調手段から出射された光学像をスクリーンに拡大投射する投射手段になっている。
【００４６】
レンズシフト機構３４は、投射レンズ１３のレンズシフトを行う。
【００４７】
エンコーダ３５は、前記レンズシフト機構３４のレンズシフト量を検出するレンズシフト量検出手段になっている。
【００４８】
マイコン２１及び歪み補正回路３１は、このレンズシフト量検出手段の検出結果に応じて電気的に画像歪みを補正する回路になっている。
【００４９】
エンコーダ３５、マイコン２１及び歪み補正回路３１は、前記レンズシフト機構のシフト方向と異なる方向に投射レンズのあおり投射を行った場合に生じる画像歪みを補正する画像歪み補正手段になっている。
【００５０】
次に、このような投射型表示装置１の動作を図４乃至図６を参照して説明する。
図４は投射装置１１の垂直及び水平方向のあおり角について説明する説明図、図５は投射装置１１の投射角について説明する説明図、図６は液晶パネル２８に表示する光学像について説明する説明図である。
【００５１】
まず、レンズシフト機構３４のレンズシフト量を０にして垂直及び水平方向にあおり投射をした場合の補正について説明する。
【００５２】
ここで、図４に示すように水平方向のあおり角をＫｘ、垂直方向のあおり角をＫｙとした場合、図５及び図６に示す水平方向の投射角Ｔｘ、垂直方向の投射角Ｔｙの画面上の点（ｘ，ｙ）は、（ｘ’，ｙ’）に変換することによって歪み補正が行われる。
【００５３】
スクリーン１２に表示された画像が台形状に歪んだ場合、液晶パネル２８に表示する光学像は図６の破線で示すように補正すればよい。
【００５４】
例えば、第１象限の図６の右上の座標（ｘ，ｙ）に表示される映像を座標（ｘ’，ｙ’）で示す位置に表示すれば、スクリーン上での台形歪みを補正することができる。
【００５５】
前記座標（ｘ’，ｙ’）は、図４乃至図６から、例えば、
ｘ’＝ｘ（ｃｏｓ  Ｋｘ−ｓｉｎ  Ｋｘ  ・  ｔａｎ  Ｔｘ）−ｙ（ｔａｎ  Ｋｙ  ・  ｔａｎＴｘ）
ｙ’＝ｙ（ｃｏｓ  Ｋｙ−ｓｉｎ  Ｋｙ  ・  ｔａｎ  Ｔｙ）−ｙ（ｔａｎ  Ｋｘ  ・  ｔａｎＴｙ）
の式で求めることができる。
【００５６】
また、第１象限と同様にして第２乃至第４象限の座標（ｘ’，ｙ’）についても求めることができる。
【００５７】
ここで、前記式におけるパラメータはあおり角Ｋｘ，Ｋｙと投射角Ｔｘ，Ｔｙである。
【００５８】
一般的に、レンズシフト機構３４を有する投射装置１１の場合には、垂直方向のあおり投射は投射レンズ１３のレンズシフト機構３４を用いておこなうので、ここでは、垂直あおり角Ｋｙは０°となる。即ち、図３に示した投射装置１１は、垂直あおり角Ｋｙが０°となる水平状態で配置する。
【００５９】
また、水平投射角Ｔｘは、投射レンズを含めた光学系の特性より求められるが、垂直投射角Ｔｙはレンズシフト機構によって大きく異なってしまう。このため、レンズシフト機構３４には、図２に示すようにレンズシフトを操作する回転つまみ５５と同軸上にエンコーダ３５が設けられており、図１に示すようにレンズの位置（レンズシフト量）を示す情報が歪み補正回路３１に送られる。
【００６０】
歪み補正回路３１は、レンズの位置に対応する投射角Tyを算出して記憶しておくことにより、歪み補正を行うようになっている。したがって、本実施の形態では、リモコン２２の補正キー４４、４５によって、水平方向のあおり角Kxのみを与えることにより、水平方向のあおり補正が可能となり、１つのパラメーターのみで歪み補正を調整することが可能となり、非常に簡単に水平及び垂直方向のあおりひずみを調整することが可能となる。
【００６１】
以下、本実施の形態の操作方法を具体的に説明する。
図７は投射装置１１のレンズシフト機構を操作した場合における投射画像の位置を移動を示す説明図である。
【００６２】
図７において、投射装置１１は、垂直及び水平方向のあおり角を０°とし、図２に示したレンズシフト機構３４を用いて投射レンズ１３を上下に移動することによって、投影する投射画像６１の位置を図中実線の位置と破線の位置に示すように、上下に移動することが可能となり、上方への投影が可能となる。
【００６３】
このとき、投射レンズ１３の光軸６０はスクリーン１２に対し垂直のままなので、図形歪みは発生しない。
【００６４】
図８は投射装置１１の水平左方向のあおり投射をした場合の水平方向の投射範囲を示す説明図、図９はスクリーンに表示される画像について説明する説明図である。
【００６５】
図８に示すように、投射装置１１の投射レンズ１３の光軸６０とスクリーン１２の関係が水平面において垂直でなくなった場合は、正しい図形に表示されず、図９の破線に示す歪んだ投射画像６３が表示される。
【００６６】
投射画像６３の画像歪みは上下の辺が異なる傾きで傾いている。この傾きは、レンズの垂直方向のレンズシフト量によって決まるため、本実施の形態では、レンズシフト機構３４のレンズシフト量をエンコーダ３５で検出し、この検出結果とリモコン２２の補正キー４４、４５による水平方向のあおり角Ｋｘの入力に基づいて歪み補正回路３１がひずみ補正を行う。この場合、液晶パネル２８に表示する光学像６２は一点破線で示すように上下の辺を投射画像６３の逆方向に補正している。このようにして補正されて投射された図形は図９の実線のように投射画像６１の上下部分が水平になる。
【００６７】
これにより、レンズシフト機構３４によりレンズシフトを行った場合にも、垂直方向の台形歪みを簡単に調整することができる。
【００６８】
以上、説明したように、本実施の形態によれば、前記画像歪み補正手段は、前記レンズシフト機構のレンズシフト量に応じて電気的に画像歪みを補正するので、レンズシフト機構と電子的に画像歪みを補正する方法を組み合わせて投射画像の画面歪みを補正する場合にも、容易に補正操作が行え、投射型表示装置の設置作業の時間短縮が可能になる。
【００６９】
なお、以上の説明では透過型の液晶ライトバルブを用いた投写型表示装置を例に説明したが、これ以外に反射型の液晶パネルを用いた投射型表示装置、ＣＲＴ方式の投射型表示装置、あるいはマイクロミラーデバイス（ＤＭＤ）を用いた投射型表示装置等、他の投射型表示装置にも適用できることは言うまでもない。
【００７０】
また、本実施の形態においては垂直方向のレンズシフトを行うレンズシフト機構を有し、水平方向にあおり投射をした場合に発生する図形ひずみを電気的に補正する場合を説明したが、逆に、水平方向のレンズシフトを行うレンズシフト機能を有し、垂直方向にあおり投射をした場合に発生する図形歪みを電気的に補正する場合にも適用できる。
【００７１】
また、本実施の形態においては、垂直方向のレンズシフトを行う場合は、垂直方向にあおり投射を行わないようにしたが、垂直方向のレンズシフトと垂直方向にあおり投射を同時に行い、傾きセンサ３３の検出結果と、レンズシフト機構３４のレンズシフト量を検出結果と、リモコン２２の入力とに基づいて水平及び垂直方向の両方にあおり投射をした場合に発生する図形ひずみを電気的に補正してもよい。これにより、歪みのない投射画像を投射できる範囲を広げることができる。
【００７２】
また、水平及び垂直方向の両方のレンズシフトを行うレンズシフト機構を有し、水平及び垂直方向の両方にあおり投射をした場合に発生する図形ひずみを電気的に補正にも適用できる。
【００７３】
【発明の効果】
以上説明したように、レンズシフト機構と電子的に画像歪みを補正する方法を組み合わせて投射画像の画面歪みを補正する場合にも、容易に補正操作が行えるので、投射型表示装置の設置作業の時間短縮が可能になる。
【図面の簡単な説明】
【図１】本発明の実施の形態に係る投射型表示装置を示すブロック図。
【図２】本発明の実施の形態に係るレンズシフト機構を示す正面図。
【図３】本発明の実施の形態に係る投射装置とスクリーンの関係を示す配置図。
【図４】本発明の実施の形態に係る投射装置のあおり角について説明する説明図。
【図５】本発明の実施の形態に係る投射装置の投射角について説明する説明図。
【図６】本発明の実施の形態に係る液晶パネルに表示する光学像について説明する説明図。
【図７】本発明の実施の形態に係るレンズシフト機構を操作した場合における投射画像の位置を移動を示す説明図。
【図８】本発明の実施の形態に係る投射装置を水平左方向にあおり投射をした場合の水平方向の投射範囲を示す説明図。
【図９】本発明の実施の形態に係るスクリーンに表示される画像について説明する説明図。
【図１０】従来の投射型表示装置によるあおり投射の状態を説明する説明図。
【図１１】従来の投射型表示装置による投射画像の例を説明する説明図。
【符号の説明】
１    投射型表示装置
１１    投射装置
１２    スクリーン
１３    投射レンズ
２１    マイクロコンピュータ
２２    リモコン
２８    液晶パネル
２９    映像処理回路
３１    歪み補正回路
３２    液晶駆動回路
３４    レンズシフト機構
３５    エンコーダ
【図１】
0003574108.tif 000002
【図２】
0003574108.tif 000003
【図３】
0003574108.tif 000004
【図４】
0003574108.tif 000005
【図５】
0003574108.tif 000006
【図６】
0003574108.tif 000007
【図７】
0003574108.tif 000008
【図８】
0003574108.tif 000009
【図９】
0003574108.tif 000010
【図１０】
0003574108.tif 000011
【図１１】
0003574108.tif 000012